(57)【要約】【課題】コストを抑えながら、空気の吸入および排出動作に対して動作不良が発生し難く、品質が向上する泡吐出器を提供すること。【解決手段】本発明の泡吐出器１Ａは、容器本体８に装着されるベースキャップ部２に対して往復動可能なポンプヘッド部３を有し、ポンプヘッド部３が押圧されることにより、内容液を空気と混合し発泡させて吐出する。泡吐出器１Ａのシリンダ部４は、大径の空気室１２及び小径の液導入室１６を有する。泡吐出器１Ａのピストン部５は、空気室１２及び液導入室１６に亘る室内を上下動する筒状ピストン部材５１と周方向外方に張り出し空気室１２の内周面に沿って摺動する摺動ピストン部材５２とからなる。摺動ピストン部材５２は、筒状ピストン部材５１の外周面に遊嵌された遊嵌エアーバルブ５２１、遊嵌エアーバルブ５２１の先端部に密着当接可能で空気室１２の内周面に沿って摺動する摺動エアーピストン５２５を有する。【選択図】図１
2015123980.tif 000002
【特許請求の範囲】
【請求項１】
内容液を収容する容器本体の口首部に装着されるベースキャップ部に対して往復動可能に設けられたポンプヘッド部を有し、該ポンプヘッド部が押圧されることにより、加圧された液室から混合室に前記内容液を送る第１流路と、加圧された空気室から前記混合室に空気を送る第２流路とを開放し、前記混合室に送られた前記内容液を前記混合室の泡生成部材にて前記空気と混合し発泡させて吐出する泡吐出器であって、
前記容器本体の内側に配置される、大径の前記空気室と該空気室の中央部にて垂下する小径の液導入室とを有するシリンダ部、前記空気室及び前記液導入室に亘って室内を上下動する筒状ピストン部材と該筒状ピストン部材より周方向外方に張り出して設けられて前記空気室の内周面に沿って摺動する摺動ピストン部材とからなるピストン部を備え、
前記ピストン部の前記摺動ピストン部材は、前記筒状ピストン部材の外周面に遊嵌された遊嵌エアーバルブと、該遊嵌エアーバルブの周方向外方側の下方先端部に密着当接可能で前記空気室の内周面に沿って摺動する摺動エアーピストンとを有し、
前記ポンプヘッド部を押圧して該ポンプヘッド部が降下している間においては、前記遊嵌エアーバルブの周方向外方側の下方先端部と前記摺動エアーピストンとが密着当接して、前記空気室への外気の流通が遮断され、前記ポンプヘッド部の押圧を解除して該ポンプヘッド部が上昇している間においては、前記遊嵌エアーバルブの下方先端部と前記摺動エアーピストンとが離間してそれらの隙間から、前記空気室へ外気が流通する泡吐出器。
【請求項２】
前記遊嵌エアーバルブは、前記筒状ピストン部材の外周面に遊嵌する遊嵌筒状部と、該遊嵌筒状部の中間部から周方向外方に張り出す円環状部と、該延環状平板部の外周縁から垂下する外方筒状部とを有し、
前記摺動エアーピストンは、前記外方筒状部の下方先端部に密着当接可能な当接部と、その周方向外方端部に前記空気室の内周面に沿って摺動する外周ピストン部とを有している請求項１に記載の泡吐出器。
【請求項３】
前記ピストン部は、前記筒状ピストン部材の中間部の外周面から前記摺動エアーピストンの前記当接部に至るまで周方向外方に張り出す円環状の閉塞用凹状リブを有し、
前記ポンプヘッド部の押圧を解除して該ポンプヘッド部が上昇している間においては、前記閉塞用凹状リブの凹部と前記遊嵌エアーバルブの前記遊嵌筒状部の下端部とが密着当接して、前記第２流路を介した前記空気の流通が遮断される請求項２に記載の泡吐出器。
【請求項４】
前記ピストン部の前記摺動エアーピストンは、その周方向内方の内方周縁部における下面に、周方向内方に延びる通気スリットを複数有し、
前記ポンプヘッド部の押圧を解除して該ポンプヘッド部が上昇している間においては、前記閉塞用凹状リブの外方周縁部の上面と前記摺動エアーピストンの前記当接部の下面とが当接すると共に、前記遊嵌エアーバルブの前記外方筒状部の下方先端部と前記摺動エアーピストンの前記当接部とが離間して、該下方先端部及び該当接部の隙間から、前記通気スリットを介して、前記空気室へ外気が流通する請求項３に記載の泡吐出器。
【請求項５】
前記ピストン部の前記摺動ピストン部材は、前記摺動エアーピストンの前記当接部における前記閉塞用凹状リブの外周縁よりも外方の位置で且つ前記遊嵌エアーバルブの前記外方筒状部の下方先端部よりも内方の位置に、貫通する通気穴を複数有し、
前記ポンプヘッド部の押圧を解除して該ポンプヘッド部が上昇している間においては、前記閉塞用凹状リブの外方周縁部の上面と前記摺動エアーピストンの前記当接部の下面とが当接すると共に、前記遊嵌エアーバルブの前記外方筒状部の下方先端部と前記摺動エアーピストンの前記当接部とが離間して、該下方先端部及び該当接部の隙間から、前記通気穴を介して、前記空気室へ外気が流通する請求項３に記載の泡吐出器。
【発明の詳細な説明】
【技術分野】
【０００１】
本発明は、泡吐出器に関し、特に、容器本体の口首部に取り付けて用いられ、収容された内容液を空気と混合することにより泡状にして吐出する泡吐出器に関する。
【背景技術】
【０００２】
例えば液状の洗浄剤や毛髪剤等を収容し、容器を置いたままの状態でポンプヘッド部を押圧操作することにより、手等による撹拌などを使用者がおこなわずとも、内容液を泡状にして吐出させるポンプフォーマー容器等の泡吐出器が種々開発されている。例えば特許文献１に記載の泡吐出器は、容器本体の口首部に、内容液を空気と混合することにより泡状にして吐出する泡吐出器が装着された容器である。特許文献１に記載の泡吐出器の備える泡吐出器には、容器本体の口首部に装着されるベースキャップ部に、内容液の吸引、加圧、排出を行うピストン（液ピストン）と、空気の吸引、加圧、排出を行うピストン（エアーピストン）とをそれぞれ同心状の直列配置にして組み入れた単一のシリンダ部からなるポンプが設けられている。特許文献１に記載の泡吐出器は、ベースキャップ部の上方に突出するポンプヘッド部の押し込みによりポンプの各ピストンを作動させ、内容液と空気をそれぞれシリンダ部内で加圧、排出して合流空間で相互に混合し、メッシュリング等の泡生成部材を通過させることで泡状にして内容液を外部に吐出させることができる。
【先行技術文献】
【特許文献】
【０００３】
【特許文献１】特開２００５−２６２２０２号公報
【発明の概要】
【発明が解決しようとする課題】
【０００４】
しかし、特許文献１に記載の泡吐出器は、エアーピストン内への外気の吸入弁として、エアーピストンを構成する部材とは別体のエアーピストンバルブを用いて構成している。具体的には、エアーピストンバルブによりエアーピストンを構成する筒状壁に設けた外気導入孔を開放させることによって、外気の吸入を行っている。一般的に、別体のエアーピストンバルブは、可撓性の樹脂から形成されており、成形不良が起こり易いものである。このようにエアーピストンバルブに成形不良が起これば、エアーピストンバルブを用いた吸入弁に動作不良が発生してしまい、泡吐出器が正常に機能しなくなってしまう。
【０００５】
したがって本発明は、前述した従来技術が有する欠点を解消し得る泡吐出器を提供することにある。
【課題を解決するための手段】
【０００６】
本発明は、内容液を収容する容器本体の口首部に装着されるベースキャップ部に対して往復動可能に設けられたポンプヘッド部を有し、該ポンプヘッド部が押圧されることにより、加圧された液室から混合室に前記内容液を送る第１流路と、加圧された空気室から前記混合室に空気を送る第２流路とを開放し、前記混合室に送られた前記内容液を前記混合室の泡生成部材にて前記空気と混合し発泡させて吐出する泡吐出器であって、前記容器本体の内側に配置される、大径の前記空気室と該空気室の中央部にて垂下する小径の液導入室とを有するシリンダ部、前記空気室及び前記液導入室に亘って室内を上下動する筒状ピストン部材と該筒状ピストン部材より周方向外方に張り出して設けられて前記空気室の内周面に沿って摺動する摺動ピストン部材とからなるピストン部を備え、前記ピストン部の前記摺動ピストン部材は、前記筒状ピストン部材の外周面に遊嵌された遊嵌エアーバルブと、該遊嵌エアーバルブの周方向外方側の下方先端部に密着当接可能で前記空気室の内周面に沿って摺動する摺動エアーピストンとを有し、前記ポンプヘッド部を押圧して該ポンプヘッド部が降下している間においては、前記遊嵌エアーバルブの周方向外方側の下方先端部と前記摺動エアーピストンとが密着当接して、前記空気室への外気の流通が遮断され、前記ポンプヘッド部の押圧を解除して該ポンプヘッド部が上昇している間においては、前記遊嵌エアーバルブの下方先端部と前記摺動エアーピストンとが離間してそれらの隙間から、前記空気室へ外気が流通する泡吐出器を提供するものである。
【発明の効果】
【０００７】
本発明によれば、コストを抑えながら、外気の吸入動作、およびポンプ押圧時のエアーバルブの空気シール性に対して動作不良が発生し難く、品質が向上する。
【図面の簡単な説明】
【０００８】
【図１】図１は、本発明の好ましい第１実施形態に係る泡吐出器を容器本体に取り付け、ポンプヘッド部を押圧する前の静止状態の断面図である。
【図２】図２は、本発明の好ましい第１実施形態に係る泡吐出器を容器本体に取り付け、ポンプヘッド部の押圧を開始した直後の状態の断面図である。
【図３】図３は、本発明の好ましい第１実施形態に係る泡吐出器を容器本体に取り付け、ポンプヘッド部を更に押圧した状態の断面図である。
【図４】図４は、本発明の好ましい第１実施形態に係る泡吐出器を容器本体に取り付け、ポンプヘッド部を最後まで押圧した状態の断面図である。
【図５】図５は、本発明の好ましい第１実施形態に係る泡吐出器を容器本体に取り付け、ポンプヘッド部の押圧を開放した直後の状態の断面図である。
【図６】図６は、本発明の好ましい第１実施形態に係る泡吐出器を容器本体に取り付け、ポンプヘッド部の押圧を開放し、更に上昇した状態の断面図である。
【図７】図７は、本発明の好ましい第２実施形態に係る泡吐出器を容器本体に取り付け、ポンプヘッド部を押圧する前の静止状態の断面図である。
【発明を実施するための形態】
【０００９】
以下、本発明の泡吐出器を、その好ましい第１実施形態に基づき、図１〜図６を参照しながら説明する。
第１実施形態の泡吐出器１Ａ（以下、単に「泡吐出器１Ａ」ともいう。）は、いわゆるポンプフォーマー容器に取り付けて用いるポンプフォーマーであって、従来のポンプフォーマーと同様に、容器本体８の口首部８１に装着されて、内容液８２と空気とを混合することにより泡状にして吐出する機能を備える。第１実施形態の泡吐出器１Ａは、図１に示すように、内容液８２を収容する容器本体８の口首部８１に装着されるベースキャップ部２に対して往復動可能に設けられたポンプヘッド部３を有し、該ポンプヘッド部３が押圧されることにより、加圧された液室１１から混合室１３に前記内容液８２を送る第１流路１４と、加圧された空気室１２から混合室１３に空気を送る第２流路１５とを開放し、混合室１３に送られた前記内容液８２を混合室１３の泡生成部材１７において前記空気と混合し発泡させて吐出する泡吐出器１Ａである。なお、各図において容器本体８は簡略されて描かれている。
【００１０】
以下の説明においては、図１〜図６に示すように、泡吐出器１Ａの軸方向をＹ方向、軸方向（Ｙ方向）に直交する周方向をＸ方向として説明する。尚、泡吐出器１Ａの軸方向（Ｙ方向）及び周方向（Ｘ方向）は、それぞれ、容器本体８の軸方向（Ｙ方向）及び周方向（Ｘ方向）と同じ方向である。また、図１〜図６に示すように、軸方向（Ｙ方向）の内の泡吐出器１Ａのポンプヘッド部３側を上方側として説明し、容器本体８側を下方側として説明する。
【００１１】
第１実施形態の泡吐出器１Ａは、図１に示すように、容器本体８の内側に配置される、大径の空気室１２と該空気室１２の中央部にて垂下する小径の液導入室１６とを有するシリンダ部４、空気室１２及び液導入室１６に亘って室内を上下動する筒状ピストン部材５１と筒状ピストン部材５１より周方向（Ｘ方向）外方に張り出して設けられて空気室１２の内周面に沿って摺動する摺動ピストン部材５２とからなるピストン部５を備えている。第１実施形態の泡吐出器１Ａは、筒状ピストン部材５１と摺動ピストン部材５２とを、それぞれ同心状の直列配置にして組み入れた単一のシリンダ部４を含むポンプ６を有している。泡吐出器１Ａは、ベースキャップ部２のＹ方向上方に突出するポンプヘッド部３の押し込みにより、ポンプ６の筒状ピストン部材５１及び摺動ピストン部材５２を作動させ、内容液８２と空気をそれぞれシリンダ部４内で加圧、排出して、これらをポンプ出側に合流空間として設けた混合室１３で混合し、泡状にしてポンプヘッド部３の吐出口３１から外部に吐出させるものである。
【００１２】
ベースキャップ部２は、第１実施形態では、図１に示すように、円環状の天井部２１と、天井部２１の周方向（Ｘ方向）内周縁全域に亘って軸方向（Ｙ方向）上方及び下方に立設する円筒状のガイドステム２２とを有している。ガイドステム２２は、天井部２の軸方向（Ｙ方向）下面から立設する部分に比べ天井部２の軸方向（Ｙ方向）上面から立設する部分の方が十分長くなるように形成されている。ガイドステム２２のＹ方向下端部２２ｂは、ポンプヘッド部３が押圧される前の状態において、後述する摺動ピストン部材５２を構成する遊嵌エアーバルブ５２１の円環状部５２３の上面に密着当接するようになっている（図１参照）。また、ベースキャップ部２は、第１実施形態では、図１に示すように、天井部２１の周方向（Ｘ方向）外周縁全域に亘って軸方向（Ｙ方向）下方に垂下する円筒状の外周壁２３を有している。外周壁２３の内面には、容器本体８の口首部８１の外周に周設された螺条と螺合する螺溝が周設されている。このように形成されたベースキャップ部２により、ポンプヘッド部３が、容器本体８の口首部８１に装着され固定される。
【００１３】
ポンプヘッド部３は、第１実施形態では、図１に示すように、ベースキャップ部２のガイドステム２２に相対変位可能に挿入される円筒状の中空パイプ３３を有しており、またポンプヘッド部３の上部先端部分には、泡状にした内容液を吐出する吐出口３１を備えている。中空パイプ３３の内部には、吐出口３１に至る発泡流路３２が形成されている。発泡流路３２には、空気と内容液８２とを混合する混合室１３と、混合室１３の下流側に混合液を泡状にする泡生成部材１７とが設けられている。
【００１４】
ポンプヘッド部３は、第１実施形態では、図１に示すように、中空パイプ３３のＹ方向下方部に、後述するように、上部が嵌め込まれて一体として連結された筒状ピストン部材５１を介して、シリンダ部４の液導入室１６に設けられたスプリング部材９１の作用によって、上方に付勢されるようになっている。中空パイプ３３と筒状ピストン部材５１との連結部分、及び筒状ピストン部材５１の構成については、後に詳述する。
【００１５】
シリンダ部４は、第１実施形態では、図１に示すように、ベースキャップ部２のガイドステム２２と外周壁２３の間の位置における天井部２１の下面にフランジを介して一体化されており、容器本体８内へ垂下して形成されている。シリンダ部４は、その上部が大径の空気室１２となっており、空気室１２の中央部において空気室１２から容器本体８の底部付近まで垂下する部分が小径の液導入室１６となっている。
【００１６】
ピストン部５は、図１に示すように、空気室１２及び液導入室１６に亘って配置される筒状ピストン部材５１と筒状ピストン部材５１より周方向（Ｘ方向）外方に張り出して設けられて空気室１２の内周面に沿って摺動する摺動ピストン部材５２とからなる。ピストン部５を構成する筒状ピストン部材５１は、第１実施形態では、空気室１２及び液導入室１６に亘って配置され且つ液導入室１６の内周面に沿って摺動する。具体的には、第１実施形態では、筒状ピストン部材５１は、中空パイプ３３のＹ方向下方部からシリンダ部４の空気室１２を通過して液導入室１６のＹ方向上端部に亘って配される外側円筒部５１１と、外側円筒部５１１の内側に配され液導入室１６のＹ方向中間部まで延在する内側円筒部５１２と、内側円筒部５１２のＹ方向下端部から周方向（Ｘ方向）外方に張り出して設けられて液導入室１６の内周面に沿って上下に摺動する密着摺動部５１３とを有している。筒状ピストン部材５１は、中空パイプ３３のＹ方向下方部に外側円筒部５１１のＹ方向上端部が嵌め込まれて一体連結され、外側円筒部５１１のＹ方向下端部の内周面と内側円筒部５１２のＹ方向上端部の外周面とが嵌合して一体連結されて形成されている。更に詳述すると、中空パイプ３３のＹ方向下方部における外側円筒部５１１との連結部よりも下方の下端部では、中空パイプ３３の内周面と外側円筒部５１１の外周面との間に間隔が設けられており、該間隔に、後述する摺動ピストン部材５２の遊嵌エアーバルブ５２１を構成する遊嵌筒状部５２２のＹ方向上端部が、遊びを設けて嵌め込まれている。中空パイプ３３のＹ方向下端部先端３３ｂは、ポンプヘッド部３が押圧される前の状態においては、後述する摺動ピストン部材５２を構成する遊嵌エアーバルブ５２１の円環状部５２３の上面から間隔を空けて配されている（図１参照）。そして、中空パイプ３３のＹ方向下端部先端３３ｂは、ポンプヘッド部３が押圧された状態においては、後述する円環状部５２３の上面に密着当接するようになっている（図３，図４参照）。
【００１７】
上述したように、ポンプヘッド部３を構成する中空パイプ３３のＹ方向下方部と、ピストン部５を構成する筒状ピストン部材５１の外側円筒部５１１のＹ方向上端部とは、嵌め込まれて一体として連結されているが、第１実施形態では、図１に示すように、連結されている部分において、中空パイプ３３の内周面の一部、又は筒状ピストン部材５１の外側円筒部５１１の外周面の一部に、Ｙ方向の上方及び下方に延びる線状切り欠き溝が形成されている。この線状切り欠き溝が、空気通路である第２流路１５の一部となる。
【００１８】
以上のように筒状ピストン部材５１が構成されているため、外側円筒部５１１、内側円筒部５１２及び密着摺動部５１３からなる筒状ピストン部材５１と、ポンプヘッド部３の中空パイプ３３とは、一体となって上下動するようになっている。尚、外側円筒部５１１のＹ方向下端部は、図１に示すように、その外径が、シリンダ部４の液導入室１６の内径よりも小さくなっている。また、内側円筒部５１２のＹ方向下端部の密着摺動部５１３は、液導入室１６の内周面に沿って摺動すると共に、スプリング部材９１を支持する役割を担う部材である。
【００１９】
また、ピストン部５は、第１実施形態では、図１に示すように、筒状ピストン部材５１の中間部の外周面から、後述する摺動ピストン部材５２を構成する摺動エアーピストン５２５の当接部５２６に至るまで周方向（Ｘ方向）外方に張り出す円環状の閉塞用凹状リブ５１４を有している。詳述すると、閉塞用凹状リブ５１４は、筒状ピストン部材５１の外側円筒部５１１の外周面における、後述する遊嵌エアーバルブ５２１の遊嵌筒状部５２２より下方の位置から周方向（Ｘ方向）外方に張り出して形成されている。閉塞用凹状リブ５１４は、外側円筒部５１１寄りのＸ方向内周縁部に、後述する遊嵌エアーバルブ５２１の遊嵌筒状部５２２のＹ方向下端部が入り込んで当接する凹部５１５を有している。ポンプヘッド部３の押圧を解除してポンプヘッド部３が上昇している間においては、閉塞用凹状リブ５１４の凹部５１５と後述する遊嵌エアーバルブ５２１の遊嵌筒状部５２２の下端部とが密着当接して、第２流路１５を介した空気の流通が遮断される。即ち、筒状ピストン部材５１の閉塞用凹状リブ５１４の凹部５１５に、後述する遊嵌エアーバルブ５２１の遊嵌筒状部５２２のＹ方向下端部が挿入されて当接されることにより、空気流路である第２流路１５を、その入口部分において閉塞することが可能になる。
【００２０】
閉塞用凹状リブ５１４は、第１実施形態では、図１に示すように、凹部５１５よりもＸ方向外方の外周縁部の上面と後述する摺動エアーピストン５２５の当接部５２６の下面とが、ポンプヘッド部３が押圧される前の状態においては、当接するようになっている。また、閉塞用凹状リブ５１４は、ポンプヘッド部３が最も押圧された状態、即ち、ポンプヘッド部３とベースキャップ部２のガイドステム２２の天面が当接するポンプヘッド部３が所謂下死点に位置する状態においても、シリンダ部４の空気室１２の底部に当接しない位置に設けられている（図４参照）。
【００２１】
また、第１実施形態では、図１に示すように、筒状ピストン部材５１を構成する外側円筒部５１１のＹ方向中間部の内部には、液室１１が形成されており、液室１１とポンプヘッド部３の混合室１３との間には、ボール弁９２が配置されている。また、シリンダ部４の液導入室１６の内部には、筒状ピストン部材５１を構成する密着摺動部５１３よりも下方にスプリング部材９１が配されている。更にスプリング部材９１のＸ方向内側で、且つピストン部５を構成する筒状ピストン部材５１の内側円筒部５１２のＸ方向内側に、液導入室１６の上下方向に延びるポペット弁９３が配されている。
【００２２】
ピストン部５を構成する摺動ピストン部材５２は、第１実施形態では、図１に示すように、筒状ピストン部材５１のＹ方向の両端部間の長さの略半分の位置から周方向（Ｘ方向）外方に張り出して設けられている。摺動ピストン部材５２は、筒状ピストン部材５１の外周面に遊嵌された遊嵌エアーバルブ５２１と、遊嵌エアーバルブ５２１の周方向（Ｘ方向）外方側の下方先端部に密着当接可能で空気室１２の内周面に沿って摺動する摺動エアーピストン５２５とを有している。遊嵌エアーバルブ５２１と摺動エアーピストン５２５とは、分離可能に形成されている。遊嵌エアーバルブ５２１は、第１実施形態では、図１に示すように、筒状ピストン部材５１の外周面に遊嵌する遊嵌筒状部５２２と、遊嵌筒状部５２２から周方向（Ｘ方向）外方に張り出す円環状部５２３と、延環状平板部５２３のＸ方向外周縁から垂下する外方筒状部５２４とを有している。以下、遊嵌筒状部５２２、円環状部５２３及び外方筒状部５２４について詳述する。
【００２３】
第１実施形態では、摺動ピストン部材５２を構成する遊嵌エアーバルブ５２１の遊嵌筒状部５２２は、図１に示すように、筒状ピストン部材５１の外側円筒部５１１に形成された閉塞用凹状リブ５１４よりもＹ方向上方に、筒状ピストン部材５１の外側円筒部５１１の外周面に遊嵌状態で配されている。また、遊嵌筒状部５２２における円環状部５２３よりもＹ方向上方の部分が、中空パイプ３３の内周面と外側円筒部５１１の外周面との間の間隔に、遊びを設けて嵌め込まれている。尚、筒状ピストン部材５１の外側円筒部５１１の外周面と摺動ピストン部材５２の遊嵌筒状部５２２の内周面との間の隙間が、空気通路である第２流路１５の一部となる。
【００２４】
第１実施形態では、摺動ピストン部材５２を構成する遊嵌エアーバルブ５２１の円環状部５２３は、図１に示すように、遊嵌筒状部５２２のＹ方向の両端部間の長さの略半分の位置から周方向（Ｘ方向）外方に、中空パイプ３３のＹ方向下端部先端３３ｂの位置を越え、更に、ベースキャップ部２のガイドステム２２のＹ方向下端部２２ｂの位置に至るまで円環状に張り出して形成されている。円環状部５２３は、その上面に、ポンプヘッド部３が押圧された状態において、中空パイプ３３のＹ方向下端部先端３３ｂが密着当接し（図３，図４参照）、ポンプヘッド部３が押圧される前の状態において、ガイドステム２２のＹ方向下端部２２ｂが密着当接するようになっている（図１参照）。円環状部５２３は、第１実施形態では、周方向（Ｘ方向）に平行に延びる平板状の円環状平板部となっているが、周方向（Ｘ方向）に対して傾斜して延びる例えば円環状外側下方傾斜部からなっていてもよい。
【００２５】
第１実施形態では、摺動ピストン部材５２を構成する遊嵌エアーバルブ５２１の外方筒状部５２４は、図１に示すように、延環状平板部５２３のＸ方向外周縁から垂下して円筒状に形成されている。第１実施形態では、外方筒状部５２４のＹ方向下端部が、遊嵌エアーバルブ５２１の周方向（Ｘ方向）外方側の下方先端部に相当する部位である。外方筒状部５２４のＹ方向下方先端部が、後述する摺動エアーピストン５２５の当接部５２６と密着当接することにより、空気室１２内の空気が第２流路１５（空気流路）にのみ流すことが可能になる（図２，図３，図４，図５参照）。
【００２６】
摺動ピストン部材５２を構成する摺動エアーピストン５２５は、第１実施形態では、図１に示すように、その周方向（Ｘ方向）内方端部に外方筒状部５２４のＹ方向下方先端部に密着当接可能な当接部５２６と、その周方向（Ｘ方向）外方端部に空気室１２の内周面に沿って摺動する外周ピストン部５２７とを有している。摺動エアーピストン５２５の当接部５２６は、その上面に、外方筒状部５２４のＹ方向下方先端部が密着当接するようになっており（図２，図３，図４，図５参照）、その下面に、筒状ピストン部材５１を構成する閉塞用凹状リブ５１４のＸ方向外方の外周縁部の上面が当接するようになっている（図１，図６参照）。
【００２７】
第１実施形態では、摺動ピストン部材５２を構成する摺動エアーピストン５２５は、図１に示すように、その周方向(Ｘ方向）内方の内方周縁部における下面に、周方向（Ｘ方向）内方に延びる通気スリット５２８を有している。第１実施形態では、摺動エアーピストン５２５の内方周縁部における下面が、筒状ピストン部材５１を構成する閉塞用凹状リブ５１４の外周縁部の上面が当接する摺動エアーピストン５２５の当接部５２６の下面に相当する。従って、閉塞用凹状リブ５１４の外周縁部の上面と摺動エアーピストン５２５の当接部５２６の下面とが当接しても、それらの間には、通気スリット５２８による隙間が形成される（図１，図６参照）。よって、ポンプヘッド部３の押圧を解除してポンプヘッド部３が上昇している間においては、閉塞用凹状リブ５１４のＸ方向外方周縁部の上面と摺動エアーピストン５２５の当接部５２６の下面とが当接すると共に、遊嵌エアーバルブ５２１の外方筒状部５２４のＹ方向下方先端部と摺動エアーピストン５２５の当接部５２６とが離間して、外方筒状部５２４のＹ方向下方先端部及び当接部５２６の隙間から、通気スリット５２８を介して、空気室１２へ外気が流通するようになる。
【００２８】
また、第１実施形態では、図１に示すように、シリンダ部４の空気室１２の周面に、容器本体８の内部と連通する換気口１２１が設けられている。換気口１２１は、ポンプヘッド部３が押圧されていない状態（非押圧時）において、シリンダ部４の空気室１２の内周面に沿って上下方向に摺動する、摺動ピストン部材５２を構成する摺動エアーピストン５２５の外周ピストン部５２７によって内側から覆われている。空気室１２の周面に換気口１２１が設けられていることにより、ポンプヘッド部３の押圧を開放して、内容液８２を容器本体８から筒状ピストン部材５１の内部の液室１１に吸引する際に、換気口１２１を介して外気を容器本体８に送り込むことで、容器本体８の内部の内容液８２が減少して容器本体８が減圧変形するのを、効果的に回避することが可能になる。また、ポンプヘッド部３が押圧されていない状態（非押圧時）において、換気口１２１が摺動エアーピストン５２５の外周ピストン部５２７によって覆われて閉塞されていることにより、例えばポンプフォーマー容器の非使用時に容器が転倒等した際に、内容液８２が換気口１２１を介して容器本体８から空気室１２に流入するのを、効果的に回避することが可能になる。
【００２９】
尚、第１実施形態の泡吐出器１Ａは、図１に示すように、ポンプヘッド部３の中空パイプ３３の周方向（Ｘ方向）外方に、中空パイプ３３と同心状に配置されたスカート状カバー３４が、中空パイプ３３とベースキャップ部２のガイドステム２２との間の隙間を覆うように設けられている。スカート状カバー３４が設けられていることにより、中空パイプ３３とガイドステム２２との間の隙間を介して外気が吸引される際に、外気の吸引に伴ってこれらの隙間から、外気と共にポンプヘッド部３やベースキャップ部２の周囲の水が空気室１２に流入するのを、相当程度防止することが可能になる。
【００３０】
容器本体８内の内容液８２としては、ハンドソープ、ボディソープ、洗顔料、メイク落とし、ヘアケア剤、食器用洗剤、などが挙げられる。
【００３１】
以上のように構成された第１実施形態の泡吐出器１Ａは、ポンプヘッド部３を押圧してポンプヘッド部３が降下している間においては、摺動ピストン部材５２の遊嵌エアーバルブ５２１の周方向（Ｘ方向）外方側の下方先端部と摺動ピストン部材５２の摺動エアーピストン５２５とが密着当接して、シリンダ部４の空気室１２への外気の流通が遮断される（図２，図３，図４，図５参照）。また、ポンプヘッド部３の押圧を解除してポンプヘッド部３が上昇している間においては、摺動ピストン部材５２の遊嵌エアーバルブ５２１の周方向（Ｘ方向）外方側の下方先端部と摺動ピストン部材５２の摺動エアーピストン５２５とが離間してそれらの隙間から、シリンダ部４の空気室１２へ外気が流通するようになっている（図１，図６参照）。以下、具体的に、図１〜図６を参照しながら、第１実施形態の泡吐出器１Ａを用いて説明する。
【００３２】
図１に示すように、ポンプヘッド部３が押圧されていない押圧前の状態（非押圧時）において、第１実施形態の泡吐出器１Ａは、ポンプヘッド部３の中空パイプ３３のＹ方向下端部先端３３ｂが、摺動ピストン部材５２を構成する遊嵌エアーバルブ５２１の円環状部５２３の上面から間隔を空けて配されている。また、非押圧時において、ベースキャップ部２のガイドステム２２のＹ方向下端部２２ｂが、摺動ピストン部材５２を構成する遊嵌エアーバルブ５２１の円環状部５２３の上面に密着当接して、容器本体８内部への外気の流通が遮断されており、更に、シリンダ部４の空気室１２内の空気とシリンダ部４内の摺動エアーピストン５２５より上方の空間との流通が遮断されている。また、摺動ピストン部材５２を構成する遊嵌エアーバルブ５２１の遊嵌筒状部５２２のＹ方向下端部が、筒状ピストン部材５１を構成する閉塞用凹状リブ５１４の凹部５１５に密着当接して、第２流路１５を介した空気の流通が遮断されている。更に、摺動ピストン部材５２を構成する遊嵌エアーバルブ５２１の外方筒状部５２４のＹ方向下方先端部が、摺動ピストン部材５２を構成する摺動エアーピストン５２５の当接部５２６の上面から間隔を空けて配されている。
【００３３】
次に、ポンプヘッド部３が押圧されていない押圧前の状態（非押圧時）から、スプリング部材９１の付勢力に抗してポンプヘッド部３を押圧して下方に押し下げたヘッドダウン１段階目について、図２を用いて説明する。第１実施形態の泡吐出器１Ａは、ポンプヘッド部３の中空パイプ３３のＹ方向下方部と筒状ピストン部材５１を構成する外側筒状部５１１のＹ方向上端部が一体連結されており、摺動ピストン部材５２を構成する遊嵌エアーバルブ５２１が、筒状ピストン部材５１の外側円筒部５１１の外周面に遊嵌状態で配されている。その為、ポンプヘッド部３が押圧されたヘッドダウン１段階目においては、筒状ピストン部材５１が、ベースキャップ部２のガイドステム２２に対して相対的に下方にスライド移動し、ベースキャップ部２のガイドステム２２のＹ方向下端部２２ｂと、摺動ピストン部材５２を構成する遊嵌エアーバルブ５２１の円環状部 ５２３の上面との当接が解除される。そして、筒状ピストン部材５１の外側円筒部５１１の外周面に遊嵌状態で配されている摺動ピストン部材５２を構成する遊嵌エアーバルブ５２１が、自重によって下方に移動することにより、摺動ピストン部材５２を構成する遊嵌エアーバルブ５２１の遊嵌筒状部５２２のＹ方向下端部が、筒状ピストン部材５１を構成する閉塞用凹状リブ５１４の凹部５１５に密着当接して、第２流路１５を介した空気の流通が遮断されている。更に、摺動ピストン部材５２を構成する遊嵌エアーバルブ５２１の外方筒状部５２４のＹ方向下方先端部が、摺動ピストン部材５２を構成する摺動エアーピストン５２５の当接部５２６の上面に密着当接して、シリンダ部４の空気室１２への外気の流通が遮断される。尚、ポンプヘッド部３の中空パイプ３３のＹ方向下端部先端３３ｂは、摺動ピストン部材５２を構成する遊嵌エアーバルブ５２１の円環状部 ５２３の上面から間隔を空けて配されている。
【００３４】
次に、スプリング部材９１の付勢力に抗して更にポンプヘッド部３を押圧して下方に押し下げたヘッドダウン２段階目について、図３を用いて説明する。第１実施形態の泡吐出器１Ａは、摺動ピストン部材５２を構成する遊嵌エアーバルブ５２１が筒状ピストン部材５１の外側円筒部５１１の外周面に遊嵌状態で配されており、摺動ピストン部材５２を構成する摺動エアーピストン５２５の外周ピストン部５２７とシリンダ部４の空気室１２の内周面との密着力の方が、抵抗が大きくなっている。その為、先ず、ポンプヘッド部３の中空パイプ３３と共にピストン部５の筒状ピストン部材５１が、ピストン部５の摺動ピストン部材５２に対して相対的に下方にスライド移動する。これに伴って、摺動ピストン部材５２を構成する遊嵌エアーバルブ５２１の遊嵌筒状部５２２のＹ方向下端部が、筒状ピストン部材５１を構成する閉塞用凹状リブ５１４の凹部５１５から離れ、遊嵌筒状部５２２の下端部と筒状ピストン部材５１の閉塞用凹状リブ５１３との密着状態が解除されるので、ポンプヘッド部３を構成する中空パイプ３３と筒状ピストン部材５１の外側円筒部５１１との連結部分に形成された線状切り欠き溝、及び筒状ピストン部材５１の外側円筒部５１１と摺動ピストン部材５２の遊嵌エアーバルブ５２１との遊嵌部分の隙間からなる第２流路１５に、空気を流通させることが可能な状態となる。また、ポンプヘッド部３の中空パイプ３３のＹ方向下端部先端３３ｂが、摺動ピストン部材５２を構成する遊嵌エアーバルブ５２１の円環状部 ５２３の上面に密着当接し、空気の流通が遮断されている。尚、摺動ピストン部材５２を構成する遊嵌エアーバルブ５２１の外方筒状部５２４のＹ方向下方先端部が、摺動ピストン部材５２を構成する摺動エアーピストン５２５の当接部５２６の上面に密着当接している。その為、ポンプヘッド部３を押圧する力が、摺動ピストン部材５２の遊嵌エアーバルブ５２１を介して、摺動ピストン部材５２を構成する摺動エアーピストン５２５に伝達されるようになっている。さらに、シリンダ部４の空気室１２内の空気とシリンダ部４内の摺動エアーピストン５２５より上方の空間との流通が遮断されている。
【００３５】
次に、ポンプヘッド部３とベースキャップ部２のガイドステム２２の天面が当接するポンプヘッド部３が所謂下死点に位置する状態まで、即ち、１ストロークの最後まで、スプリング部材９１の付勢力に抗して、ポンプヘッド部３が押圧されたヘッドダウン３段階目（最も押圧された段階）について、図４を用いて説明する。図４に示すように、ポンプヘッド部３を更にＹ方向下方に押圧して押し下げれば、ポンプヘッド部３の中空パイプ３３と共に、ピストン部５の筒状ピストン部材５１、並びにピストン部５の摺動ピストン部材５２を構成する遊嵌エアーバルブ５２１及び摺動エアーピストン５２５が、一体としてＹ方向下方に押し下げられることになる。これによって、シリンダ部４の空気室１２内の空気が、第２流路１５を介してポンプヘッド部３の中空パイプ３３内に配置された混合室１３に向けて排出される。
【００３６】
さらに、ヘッドダウン３段階目（最も押圧された段階）においては、ポンプヘッド部３の中空パイプ３３と共に、ピストン部５の筒状ピストン部材５１、並びにピストン部５の摺動ピストン部材５２を構成する遊嵌エアーバルブ５２１及び摺動エアーピストン５２５が、一体としてＹ方向下方に押し下げられることによって、筒状ピストン部材５１の外側円筒部５１１の内部に形成された液室１１内の内容液８２の液圧が高くなり、ボール弁９２が上方に移動して、第１流路１４が開放され、液室１１内の内容液８２が第１流路１４を介して中空パイプ３３内の混合室１３に向けて加圧、排出される。
【００３７】
このように排出された内容液８２と空気とが、ポンプヘッド部３の中空パイプ３３内に配置された混合室１３において加圧混合され、加圧混合された混合液が泡生成部材１７を通過して発泡された後に、発砲流路３２を通って、ポンプヘッド部３の吐出口３１から泡状に吐出される。
【００３８】
ポンプヘッド部３を図４に示すように最後まで押圧したら、ポンプヘッド部３の押圧を開放する。ポンプヘッド部３が押圧されたヘッドダウン３段階目（最も押圧された段階）の状態から、スプリング部材９１の付勢力によりポンプヘッド部３を上方に押し上げたヘッドアップ１段階目について、図５を用いて説明する。第１実施形態の泡吐出器１Ａは、ポンプヘッド部３の中空パイプ３３のＹ方向下方部と筒状ピストン部材５１を構成する外側筒状部５１１のＹ方向上端部が一体連結されており、摺動ピストン部材５２を構成する遊嵌エアーバルブ５２１が、筒状ピストン部材５１の外側円筒部５１１の外周面に遊嵌状態で配されている。その為、スプリング部材９１の付勢力によって、ポンプヘッド部３の中空パイプ３３と共にピストン部５の筒状ピストン部材５１が、ピストン部５の摺動ピストン部材５２に対して相対的に上方にスライド移動する。これに伴って、摺動ピストン部材５２を構成する遊嵌エアーバルブ５２１の遊嵌筒状部５２２のＹ方向下端部が、筒状ピストン部材５１を構成する閉塞用凹状リブ５１４の凹部５１５に密着当接して、第２流路１５を介した空気の流通が遮断される。また、ポンプヘッド部３の中空パイプ３３のＹ方向下端部先端３３ｂが、摺動ピストン部材５２を構成する遊嵌エアーバルブ５２１の円環状部５２３の上面から離れ密着状態が解放される。また、ボール弁９２が自重によって下方に移動することにより、ピストン部５を構成する筒状ピストン部材５１の外側円筒部５１１の内部の液室１１が閉塞される。
【００３９】
次に、スプリング部材９１の付勢力により更にポンプヘッド部３を上方に押し上げたヘッドアップ２段階目について、図６を用いて説明する。第１実施形態の泡吐出器１Ａは、摺動ピストン部材５２を構成する遊嵌エアーバルブ５２１と摺動エアーピストン５２５とが分離可能に形成されている。また、摺動ピストン部材５２を構成する遊嵌エアーバルブ５２１が筒状ピストン部材５１の外側円筒部５１１の外周面に遊嵌状態で配されており、摺動ピストン部材５２を構成する摺動エアーピストン５２５の外周ピストン部５２７とシリンダ部４の空気室１２の内周面との密着力の方が、抵抗が大きくなっている。その為、スプリング部材９１の付勢力によって、ポンプヘッド部３の中空パイプ３３と共にピストン部５の筒状ピストン部材５１を構成する閉塞用凹状リブ５１４の凹部５１５に密着当接した摺動ピストン部材５２を構成する遊嵌エアーバルブ５２１が、摺動ピストン部材５２を構成する摺動エアーピストン５２５に対して相対的に上方にスライド移動する。これに伴って、遊嵌エアーバルブ５２１の遊嵌筒状部５２２のＹ方向下端部が、閉塞用凹状リブ５１４の凹部５１５に密着当接した状態を維持しながら、摺動ピストン部材５２を構成する遊嵌エアーバルブ５２１の外方筒状部５２４のＹ方向下方先端部が、摺動ピストン部材５２を構成する摺動エアーピストン５２５の当接部５２６の上面から離れ、空気室１２に外気を取り込むことが可能な状態となる。また、摺動ピストン部材５２を構成する摺動エアーピストン５２５の当接部５２６の下面に、筒状ピストン部材５１を構成する閉塞用凹状リブ５１４のＸ方向外方の外周縁部の上面が当接する。尚、閉塞用凹状リブ５１４の外周縁部の上面と摺動エアーピストン５２５の当接部５２６の下面との間には、当接部５２６の下面に施された通気スリット５２８による隙間が形成されており、空気室１２に外気を取り込むことが可能となる。
【００４０】
しかる後に、スプリング部材９１の付勢力によって、図１に示すように、摺動ピストン部材５２を構成する遊嵌エアーバルブ５２１の円環状部５２３の上面が、ベースキャップ部２のガイドステム２２のＹ方向下端部２２ｂに密着当接するまでポンプヘッド部３が上方に押し上げられる。その際、ピストン部５の筒状ピストン部材５１、並びにピストン部５の摺動ピストン部材５２を構成する遊嵌エアーバルブ５２１及び摺動エアーピストン５２５も、閉塞用凹状リブ５１４を介して一体として押し上げられる。これによって、ピストン部５を構成する筒状ピストン部材５１の内部の液室１１が負圧になるので、シリンダ部４の液導入室１６の内部に配されたポペット弁９３が上方に移動する。このようにポペット弁９３が上方に移動することによって、導入流路１８が開放されて、容器本体８内の内容液８２が、液導入室１６の下部に配置された吸引管９４を介して、液導入室１６の内部に吸引供給される。
【００４１】
そして、ポンプヘッド部３が上方に押し上げられ復帰すると共に、ピストン部５の筒状ピストン部材５１、並びにピストン部５の摺動ピストン部材５２を構成する遊嵌エアーバルブ５２１及び摺動エアーピストン５２５が、閉塞用凹状リブ５１４を介して一体として押し上げられることによって、シリンダ部４の空気室１２が負圧になり、遊嵌エアーバルブ５２１の外方筒状部５２４のＹ方向下方先端部と摺動エアーピストン５２５の当接部５２６の上面との間の隙間、及び当接部５２６の下面に施された通気スリット５２８による隙間を介して、外気が空気室１２に取り込まれることになる。
【００４２】
以上のような操作を繰り返し行うことによって、ポンプヘッド部３の１ストローク毎に、内容液８２と空気との泡状になった混合液が、ポンプヘッド部３の吐出口３１から外部に吐出される。
【００４３】
ここで、「ポンプヘッド部３を押圧してポンプヘッド部３が降下している間」とは、第１実施形態の泡吐出器１Ａにおいては、図２に示す上述したヘッドダウン１段階目の状態、図３に示すヘッドダウン２段階目の状態、及び図４に示すヘッドダウン３段階目（最も押圧された段階）の状態に亘るまでの間を意味する。また、「ポンプヘッド部３の押圧を解除してポンプヘッド部３が上昇している間」とは、図５に示すヘッドアップ１段階目の状態を除き、図６に示すヘッドアップ２段階目から図１に示す押圧前の状態（非押圧時）に至るまでの間を意味する。
【００４４】
上述した本発明の第１実施形態の泡吐出器１Ａは、ポンプヘッド部３を押圧してポンプヘッド部３が降下している間においては、摺動ピストン部材５２の遊嵌エアーバルブ５２１の周方向（Ｘ方向）外方側の下方先端部と摺動ピストン部材５２の摺動エアーピストン５２５とが密着当接して、シリンダ部４の空気室１２への外気の流通が遮断される（図２，図３，図４，図５参照）。また、ポンプヘッド部３の押圧を解除してポンプヘッド部３が上昇している間においては、摺動ピストン部材５２の遊嵌エアーバルブ５２１の周方向（Ｘ方向）外方側の下方先端部と摺動ピストン部材５２の摺動エアーピストン５２５とが離間してそれらの隙間から、シリンダ部４の空気室１２へ外気が流通するようになっている（図１，図６参照）。このように、泡吐出器１Ａは、シリンダ部４の空気室１２内への外気の吸入の際、ピストン部５を構成する部材とは別体の部材を用いることなく、ポンプヘッド部３の吐出口３１から、内容液８２と空気との泡状になった混合液を吐出することができるので、コストを抑えることができる。また、吸入弁を形成する別体の部材を用いていないので、別体の部材の成形不良に起因する吸入動作の動作不良が発生し難く、品質が向上する。
【００４５】
次に、本発明の第２実施形態の泡吐出器について説明する。第２実施形態の泡吐出器１Ｂ（以下、単に「泡吐出器１Ｂ」ともいう。）については、第１実施形態の泡吐出器１Ａと異なる点について主として説明し、同様の点については同一の符号を付して説明を省略する。特に言及しない点については、第１実施形態の泡吐出器１Ａに関する説明が適宜適用される。
【００４６】
第２実施形態の泡吐出器１Ｂは、図７に示すように、摺動ピストン部材５２を構成する摺動エアーピストン５２５の構成が、第１実施形態の泡吐出器１Ａの摺動エアーピストン５２５の構成と異なる以外、第１実施形態の泡吐出器１Ａの構成と同じである。第２実施形態の泡吐出器１Ｂにおいては、図７に示すように、摺動ピストン部材５２を構成する摺動エアーピストン５２５は、その周方向（Ｘ方向）内方端部に、遊嵌エアーバルブ５２１を構成する外方筒状部５２４のＹ方向下方先端部に密着当接可能な当接部５２６を有している。そして、摺動エアーピストン５２５は、その周方向（Ｘ方向）外方端部に、シリンダ部４の空気室１２の内周面に沿って摺動する外周ピストン部５２７を有している。摺動エアーピストン５２５の当接部５２６は、その上面に、外方筒状部５２４のＹ方向下方先端部が密着当接するようになっており、その下面に、筒状ピストン部材５１を構成する閉塞用凹状リブ５１４のＸ方向外方の外周縁部の上面が当接するようになっている。
【００４７】
第２実施形態では、ピストン部５の摺動ピストン部材５２は、図７に示すように、摺動エアーピストン５２５の当接部５２６における閉塞用凹状リブ５１４の外周縁よりもＸ方向外方の位置で且つ遊嵌エアーバルブ５２１の外方筒状部５２４のＹ方向下方先端部よりもＸ方向内方の位置に、貫通する通気穴５２９を複数有している。第２実施形態では、摺動エアーピストン５２５の内方周縁部における下面が、筒状ピストン部材５１を構成する閉塞用凹状リブ５１４の外周縁部の上面が当接する摺動エアーピストン５２５の当接部５２６の下面に相当する。従って、閉塞用凹状リブ５１４の外周縁部の上面と摺動エアーピストン５２５の当接部５２６の下面とが当接しても、閉塞用凹状リブ５１４の外周縁と遊嵌エアーバルブ５２１の外方筒状部５２４のＹ方向下方先端部との間に配された通気穴５２９による隙間が形成される。よって、ポンプヘッド部３の押圧を解除してポンプヘッド部３が上昇している間においては、閉塞用凹状リブ５１４のＸ方向外方周縁部の上面と摺動エアーピストン５２５の当接部５２６の下面とが当接すると共に、遊嵌エアーバルブ５２１の外方筒状部５２４のＹ方向下方先端部と摺動エアーピストン５２５の当接部５２６とが離間して、外方筒状部５２４のＹ方向下方先端部及び当接部５２６の隙間から、通気穴５２９を介して、空気室１２へ外気が流通するようになる。
【００４８】
第２実施形態の泡吐出器１Ｂは、ヘッドダウン１段階目、ヘッドダウン２段階目、ヘッドダウン３段階目及びヘッドアップ１段目においては、第１実施形態の泡吐出器１Ａと同様に作用するが、ヘッドアップ２段目以降の外気の吸引の仕方が異なる。具体的に、ヘッドアップ２段階目について説明すると、第２実施形態の泡吐出器１Ｂは、泡吐出器１Ａと同様に、摺動ピストン部材５２を構成する遊嵌エアーバルブ５２１と摺動エアーピストン５２５とが分離可能に形成されている。また、摺動ピストン部材５２を構成する遊嵌エアーバルブ５２１が筒状ピストン部材５１の外側円筒部５１１の外周面に遊嵌状態で配されており、摺動ピストン部材５２を構成する摺動エアーピストン５２５の外周ピストン部５２７とシリンダ部４の空気室１２の内周面との密着力の方が、抵抗が大きくなっている。その為、スプリング部材９１の付勢力によって、ポンプヘッド部３の中空パイプ３３と共にピストン部５の筒状ピストン部材５１を構成する閉塞用凹状リブ５１４の凹部５１５に密着当接した摺動ピストン部材５２を構成する遊嵌エアーバルブ５２１が、摺動ピストン部材５２を構成する摺動エアーピストン５２５に対して相対的に上方にスライド移動する。これに伴って、摺動ピストン部材５２を構成する摺動エアーピストン５２５の当接部５２６の下面に、筒状ピストン部材５１を構成する閉塞用凹状リブ５１４のＸ方向外方の外周縁部の上面が当接する。このように当接しても、閉塞用凹状リブ５１４の外周縁と遊嵌エアーバルブ５２１の外方筒状部５２４のＹ方向下方先端部との間に配された通気穴５２９による隙間が形成されており、空気室１２に外気を取り込むことが可能となる。
【００４９】
しかる後に、スプリング部材９１の付勢力によって、図７に示すように、摺動ピストン部材５２を構成する遊嵌エアーバルブ５２１の円環状部５２３の上面が、ベースキャップ部２のガイドステム２２のＹ方向下端部２２ｂに密着当接するまでポンプヘッド部３が上方に押し上げられる。その際、ピストン部５の筒状ピストン部材５１、並びにピストン部５の摺動ピストン部材５２を構成する遊嵌エアーバルブ５２１及び摺動エアーピストン５２５も、閉塞用凹状リブ５１４を介して一体として押し上げられる。これによって、シリンダ部４の空気室１２が負圧になり、遊嵌エアーバルブ５２１の外方筒状部５２４のＹ方向下方先端部と摺動エアーピストン５２５の当接部５２６の上面との間の隙間、及び当接部５２６に施された通気穴５２９による隙間を介して、外気が空気室１２に取り込まれることになる。第２実施形態の泡吐出器１Ｂの効果については、泡吐出器１Ａの効果と同様の効果を奏する。
【００５０】
本発明の泡吐出器は、上述の第１〜第２実施形態の泡吐出器１Ａ〜１Ｂに何ら制限されるものではなく、適宜変更可能である。また、上述の第１〜第２実施形態の泡吐出器１Ａ〜１Ｂにおける各構成要件は、本発明の趣旨を損なわない範囲で、適宜組み合わせて実施できる。
【００５１】
例えば、上述の第１〜第２実施形態の泡吐出器１Ａ〜１Ｂにおいては、図１，図７に示すように、ピストン部５を構成する筒状ピストン部材５１は、液導入室１６の内周面に沿って摺動する観点から、外側円筒部５１１、内側円筒部５１２及び液導入室１６の内周面に沿って上下に摺動する密着摺動部５１３を有しているが、密着摺動部５１３を有していなくてもよい。密着摺動部５１３を有していない場合、ピストン部５を構成する筒状ピストン部材５１は、空気室１２及び液導入室１６に亘って室内を上下動するようになる。その際、スプリング部材９１は、内側円筒部５１２のＹ方向下端部で支持するようにすればよい。
【００５２】
また、上述の第１実施形態の泡吐出器１Ａにおいては、図１に示すように、摺動ピストン部材５２を構成する摺動エアーピストン５２５が、その周方向(Ｘ方向）内方の内方周縁部における下面に、周方向（Ｘ方向）内方に延びる通気スリット５２８を有している。その代わりに、筒状ピストン部材５１の閉塞用凹状リブ５１４が、凹部５１５よりも周方向（Ｘ方向）外方の周縁部分に、周方向（Ｘ方向）に延びる通気スリットを有していてもよい。
【００５３】
また、上述の第１〜第２実施形態の泡吐出器１Ａ〜１Ｂにおいては、図１，図７に示すように、ポンプヘッド部３は、シリンダ部４の液導入室１６に設けられたスプリング部材９１の作用によって、上方に付勢されるようになっているが、スプリング部材９１は、液導入室１６に設ける必要はなく、例えば、ポンプヘッド部３の中空パイプ３３を囲うように、ベースキャップ部２の円筒状のガイドステム２２の上部に設けてもよい。
【符号の説明】
【００５４】
１Ａ，１Ｂ  泡吐出器
１１  液室
１２  空気室
１２１  換気口
１３  混合室
１４  第１流路
１５  第２流路
１６  液導入室
１７  泡生成部材
１８  導入流路
２  ベースキャップ部
２１  天位部
２２  ガイドステム
２２ｂ  ガイドステムの下端部
２３  外周壁
３  ポンプヘッド部
３１  吐出口
３２  発泡流路
３３  中空パイプ
３３ｂ  中空パイプ３３の下端部先端
３４  スカート状カバー
４  シリンダ部
５  ピストン部
５１  筒状ピストン部材
５１１  外側円筒部
５１２  内側円筒部
５１３  密着摺動部
５１４  閉塞用凹状リブ
５１５  凹部
５２  摺動ピストン部材
５２１  遊嵌エアーバルブ
５２２  遊嵌筒状部
５２３  円環状部
５２４  外方筒状部
５２５  摺動エアーピストン
５２６  当接部
５２７  外周ピストン部
５２８  通気スリット
５２９  通気穴
６  ポンプ
８  容器本体
８１  口首部
８２  内容液
９１  スプリング部材
９２  ボール弁
９３  ポペット弁
９４  吸引管
【図１】
2015123980.tif 000003
【図２】
2015123980.tif 000004
【図３】
2015123980.tif 000005
【図４】
2015123980.tif 000006
【図５】
2015123980.tif 000007
【図６】
2015123980.tif 000008
【図７】
2015123980.tif 000009